(57)【特許請求の範囲】
【請求項１】
浴槽の湯温が所定の風呂設定温度よりも低くなると、前記浴槽の湯を、当該浴槽と当該浴槽の湯を加熱する熱源との間に設けられた循環路で循環させて前記浴槽の湯温を前記風呂設定温度以上に上昇させる追い焚き制御方法であって、
追い焚き開始時に前記循環路を循環させる湯の流量を当該循環路の最大流量よりも小さい流量に設定し、予め設定された所定時間が経過するまで前記浴槽の湯を循環させる第１の循環ステップと、
前記循環路を循環させる湯の流量を当該循環路の最大流量に切り換えて前記浴槽の湯を循環させる第２の循環ステップと、
を備えたことを特徴とする、追い焚き制御方法。
【請求項２】
請求項１に記載の追い焚き制御方法において、
追い焚き動作開始時に、湯温検出手段により浴槽の湯温を検出して記憶手段に記憶する湯温検出ステップと、
前記循環路を循環させる湯の流量が当該循環路の最大流量に切り換えられたとき、前記湯温検出手段により浴槽の湯温を検出し、その湯温が前記風呂設定温度以上であるか否かを判断する第１の判断ステップと、
前記第１の判断ステップで前記浴槽の湯の温度が前記風呂設定温度以上であると判断されると、前記記憶手段に記憶された追い焚き動作開始時の浴槽の湯温が前記風呂設定温度よりも低い所定の温度よりも低いか否かを判断する第２の判断ステップと、
前記第２の循環ステップに代えて、前記２の判断ステップで追い焚き動作開始時の浴槽の湯温が前記所定の温度以上であると判断されると、前記浴槽の湯の循環動作を停止させ、追い焚き動作開始時の浴槽の湯温が前記所定の温度よりも低いと判断されると、前記最大流量での前記浴槽の湯の循環動作を予め設定された所定の時間だけ継続させた後に停止させる第３の循環ステップと、
を備えたことを特徴とする、追い焚き制御方法。
【請求項３】
浴槽内の湯を流出させ、当該湯を加熱する熱源を経由して前記浴槽に流入させる循環路と、
前記浴槽の湯を前記循環路内で循環させるポンプと、
前記浴槽の湯の温度を検出する湯温検出手段と、
前記湯温検出手段により検出された浴槽の湯温が所定の風呂設定温度よりも低くなると、前記ポンプを駆動して前記浴槽内の湯を前記循環路に循環させ、前記浴槽の湯温が前記風呂設定温度以上になるまで追い焚き動作を行う追い焚き制御手段とを備えた追い焚き装置であって、
前記循環路を流れる湯の流量を調整する流量調整手段と、
前記追い焚き動作開始時に、前記流量調整手段により調整される湯の流量を第１の流量よりも少ない第２の流量に設定し、追い焚き動作開始から予め設定された所定時間が経過すると、前記流量調整手段により調整される湯の流量を前記第２の流量から前記第１の流量に切り換える流量調整制御手段と、
を備えたことを特徴とする、追い焚き装置。
【請求項４】
請求項３に記載の追い焚き装置において、
追い焚き動作開始時に前記湯温検出手段により検出される浴槽の湯温を記憶する記憶手段と、
前記流量調整制御手段により前記流量調整手段による流量の調整量が前記第１の流量に切り換えられると、前記湯温検出手段により検出される前記浴槽の湯の温度が前記風呂設定温度以上であるか否かを判断する第１の判断手段と、
前記第１の判断手段により前記浴槽の湯の温度が前記風呂設定温度以上であると判断されると、前記記憶手段に記憶された追い焚き動作開始時の浴槽の湯温が前記風呂設定温度よりも低い所定の温度よりも低いか否かを判断する第２の判断手段とを更に備え、
前記追い焚き制御手段は、前記２の判断手段により、追い焚き動作開始時の浴槽の湯温が前記所定の温度以上であると判断されると、追い焚き動作を停止させ、追い焚き動作開始時の浴槽の湯温が前記所定の温度よりも低いと判断されると、追い焚き動作を予め設定された所定の時間だけ継続させた後に停止させることを特徴とする、追い焚き装置。
【請求項５】
前記熱源は貯湯タンクからなり、
前記循環路は、前記浴槽から前記貯湯タンクへ浴槽の湯を送る風呂戻り管と、前記貯湯タンクから前記浴槽へ加熱された湯を送る風呂往き管と、前記風呂戻り管と前記風呂往き管との間を連結するバイパス管とからなり、
前記流量調整手段は、前記風呂戻り管と前記バイパス管との接続位置に設けられ、前記風呂戻り管の上流側と下流側を接続する第１の位置と前記風呂戻り管の上流側と前記バイパス管を接続する第２の位置とに切り換わる三方弁からなり、
前記流量調整制御手段は、前記追い焚き動作開始時に、前記三方弁を前記第１，第２の位置の中間位置に移動して湯の流量を前記第２の流量に設定し、追い焚き動作開始から予め設定された所定時間が経過すると、前記三方弁を前記１の位置に設定して湯の流量を前記第１の流量に設定することを特徴とする、請求項３又は４に記載の追い焚き装置。
【発明の詳細な説明】
【０００１】
【発明の属する技術分野】
本発明は、浴槽と熱源との間で浴槽の湯を循環させることにより浴槽の湯温を上昇させる追い焚き動作を制御する追い焚き制御方法、およびその追い焚き制御方法を採用した追い焚き装置に関する。
【０００２】
【従来の技術】
追い焚き機能を有する給湯装置においては、使用者が入浴中に追い焚きする場合、熱源で加熱された高温の湯が循環金具から浴槽の内部に大量に吐出され、使用者が熱いと感じることがあった。たとえば、貯湯式給湯装置においては、風呂追い焚き用の熱交換器が貯湯タンク内にあるため、常時加熱されている。このため、風呂追い焚き用の配管内には、高温の湯が存在することになる。したがって、風呂追い焚きの初期から多量の追い焚き循環を行なうと、この高温の湯が一度に浴槽に出てしまうので、浴槽内で入浴中の使用者は、熱いと感じるのである。
【０００３】
そこで、追い焚き時に循環湯量を減少させることにより、浴槽内での体感湯温を低減させるタイプの給湯装置が提案されている。すなわち、追い焚き初期においては、風呂三方弁を幾分風呂バイパス路側に向けて、実質的な追い焚き循環量を少なくするのである。
【０００４】
【発明が解決しようとする課題】
しかし、上記従来の給湯装置では、いわゆるショートサイクル現象により、浴槽の湯温が設定温度に達していないにも係わらず、追い焚きを終了してしまうことがあるという課題があった。
【０００５】
ショートサイクル現象とは、風呂往き側の循環金具から吐出される湯量が少ないことから、浴槽内の循環金具付近で高温の湯が停滞してしまい、その高温の湯がすぐに風呂戻り側に吸い込まれて、浴槽全体では湯温が沸き上がり温度に達していないにも係わらず、風呂戻り側の温度センサで沸き上がりの湯温が検出されてしまう現象をいう。すなわち、循環湯量が多い場合は、循環金具から吐出された高温の湯が浴槽内の全体に広がり、均一に浴槽の湯温が上昇して、その湯が風呂戻り側に吸い込まれて湯温が検出されることから、浴槽の湯温が正しく検出されるのに対して、ショートサイクル現象が発生した場合、浴槽内の一部に偏在する高温の湯が風呂戻り側に吸い込まれて湯温が検出されることから、浴槽全体の湯温が正しく検出されないのである。
【０００６】
【発明の開示】
本発明は上記の点に鑑みて提案されたものであって、追い焚きに際して、入浴中の使用者に高温による不快感を与えることなく、沸き上がり温度を適切に検出できる追い焚き制御方法および追い焚き装置を提供することを、その目的としている。
【０００７】
上記の課題を解決するため、本発明では、次の技術的手段を講じている。
【０００８】
本発明の第１の側面によれば、浴槽の湯温が所定の風呂設定温度よりも低くなると、前記浴槽の湯を、当該浴槽と当該浴槽の湯を加熱する熱源との間に設けられた循環路で循環させて前記浴槽の湯温を前記風呂設定温度以上に上昇させる追い焚き制御方法であって、追い焚き開始時に前記循環路を循環させる湯の流量を当該循環路の最大流量よりも小さい流量に設定し、予め設定された所定時間が経過するまで前記浴槽の湯を循環させる第１の循環ステップと、前記循環路を循環させる湯の流量を当該循環路の最大流量に切り換えて前記浴槽の湯を循環させる第２の循環ステップとを備えたことを特徴とする、追い焚き制御方法が提供される。
【０００９】
本発明の第２の側面によれば、請求項１に記載の追い焚き制御方法において、追い焚き動作開始時に、湯温検出手段により浴槽の湯温を検出して記憶手段に記憶する湯温検出ステップと、前記循環路を循環させる湯の流量が当該循環路の最大流量に切り換えられたとき、前記湯温検出手段により浴槽の湯温を検出し、その湯温が前記風呂設定温度以上であるか否かを判断する第１の判断ステップと、前記第１の判断ステップで前記浴槽の湯の温度が前記風呂設定温度以上であると判断されると、前記記憶手段に記憶された追い焚き動作開始時の浴槽の湯温が前記風呂設定温度よりも低い所定の温度よりも低いか否かを判断する第２の判断ステップと、前記第２の循環ステップに代えて、前記２の判断ステップで追い焚き動作開始時の浴槽の湯温が前記所定の温度以上であると判断されると、前記浴槽の湯の循環動作を停止させ、追い焚き動作開始時の浴槽の湯温が前記所定の温度よりも低いと判断されると、前記最大流量での前記浴槽の湯の循環動作を予め設定された所定の時間だけ継続させた後に停止させる第３の循環ステップとを備えたことを特徴とする、追い焚き制御方法が提供される。
【００１０】
本発明の第３の側面によれば、浴槽内の湯を流出させ、当該湯を加熱する熱源を経由して前記浴槽に流入させる循環路と、前記浴槽の湯を前記循環路内で循環させるポンプと、
前記浴槽の湯の温度を検出する湯温検出手段と、前記湯温検出手段により検出された浴槽の湯温が所定の風呂設定温度よりも低くなると、前記ポンプを駆動して前記浴槽内の湯を前記循環路に循環させ、前記浴槽の湯温が前記風呂設定温度以上になるまで追い焚き動作を行う追い焚き制御手段とを備えた追い焚き装置であって、前記循環路を流れる湯の流量を調整する流量調整手段と、前記追い焚き動作開始時に、前記流量調整手段により調整される湯の流量を第１の流量よりも少ない第２の流量に設定し、追い焚き動作開始から予め設定された所定時間が経過すると、前記流量調整手段により調整される湯の流量を前記第２の流量から前記第１の流量に切り換える流量調整制御手段とを備えたことを特徴とする、追い焚き装置が提供される。
【００１１】
本発明の第４の側面によれば、請求項３に記載の追い焚き装置において、追い焚き動作開始時に前記湯温検出手段により検出される浴槽の湯温を記憶する記憶手段と、前記流量調整制御手段により前記流量調整手段による流量の調整量が前記第１の流量に切り換えられると、前記湯温検出手段により検出される前記浴槽の湯の温度が前記風呂設定温度以上であるか否かを判断する第１の判断手段と、前記第１の判断手段により前記浴槽の湯の温度が前記風呂設定温度以上であると判断されると、前記記憶手段に記憶された追い焚き動作開始時の浴槽の湯温が前記風呂設定温度よりも低い所定の温度よりも低いか否かを判断する第２の判断手段とを更に備え、前記追い焚き制御手段は、前記２の判断手段により、追い焚き動作開始時の浴槽の湯温が前記所定の温度以上であると判断されると、追い焚き動作を停止させ、追い焚き動作開始時の浴槽の湯温が前記所定の温度よりも低いと判断されると、追い焚き動作を予め設定された所定の時間だけ継続させた後に停止させることを特徴とする、追い焚き装置が提供される。
【００１２】
本発明の第５の側面によれば、請求項３又は４に記載の追い焚き装置において、前記熱源は貯湯タンクからなり、前記循環路は、前記浴槽から前記貯湯タンクへ浴槽の湯を送る風呂戻り管と、前記貯湯タンクから前記浴槽へ加熱された湯を送る風呂往き管と、前記風呂戻り管と前記風呂往き管との間を連結するバイパス管とからなり、前記流量調整手段は、前記風呂戻り管と前記バイパス管との接続位置に設けられ、前記風呂戻り管の上流側と下流側を接続する第１の位置と前記風呂戻り管の上流側と前記バイパス管を接続する第２の位置とに切り換わる三方弁からなり、前記流量調整制御手段は、前記追い焚き動作開始時に、前記三方弁を前記第１，第２の位置の中間位置に移動して湯の流量を前記第２の流量に設定し、追い焚き動作開始から予め設定された所定時間が経過すると、前記三方弁を前記１の位置に設定して湯の流量を前記第１の流量に設定することを特徴とする、追い焚き装置が提供される。
【００１３】
本発明によれば、追い焚き開始時に循環路を循環させる湯の流量を当該循環路の最大流量よりも小さい流量に設定し、予め設定された所定時間が経過するまで浴槽の湯を循環させた後、循環路を循環させる湯の流量を当該循環路の最大流量に切り換えて浴槽の湯を循環させるので、ショートサイクル現象に起因する湯温の誤判定を防止できることから、追い焚きに際して、入浴中の使用者に高温による不快感を与えることなく、沸き上がり温度を適切に検出できる。
【００１４】
本発明のその他の特徴および利点は、添付図面を参照して以下に行う詳細な説明によって、より明らかとなろう。
【００１５】
【発明の実施の形態】
以下、本発明の好ましい実施の形態を、図面を参照しつつ具体的に説明する。
【００１６】
図１は、本発明の一実施形態における追い焚き方法を採用した給湯装置の配管系統図である。この給湯装置は、貯湯式で、灯油を燃料とし、給湯、風呂追い焚き、暖房の各機能を有している。
【００１７】
液体状の熱媒体としての不凍液を貯湯する貯湯タンク１は、下部に燃焼室２を有し、上部に排ガス集合室３を有している。燃焼室２と排ガス集合室３とは、複数本の煙管４を介して互いに連通している。バーナ５は、送風機６を備え、ノズル７から燃料としての灯油を噴霧して燃焼室２内で燃焼させる。燃焼室２で発生した高温の排気ガスが煙管４を通って排ガス集合室３に導かれ、給湯装置外に排出される。貯湯タンク１内の不凍液は、煙管４を通る排気ガスによっても加熱される。
【００１８】
貯湯タンク１には、暖房用回路として暖房往き管１１と暖房戻り管１２とが接続されている。暖房往き管１１は、所定箇所に暖房ポンプ１３が設けられており、暖房ポンプ１３よりも下流側の箇所にバイパス管１４の一端が接続されている。バイパス管１４の他端は、貯湯タンク１に接続されている。燃焼室２内の燃焼により加熱された不凍液は、暖房ポンプ１３により暖房往き管１１を通って任意数の暖房端末装置１５に供給され、暖房戻り管１２を通って貯湯タンク１に戻る。暖房端末装置１５の運転状況に応じて、暖房往き管１１の不凍液の一部または全部はバイパス管１４を通って貯湯タンク１に戻る。
【００１９】
貯湯タンク１の内部には、給湯コイル２１および風呂コイル２２が設置されている。
【００２０】
給湯コイル２１は、入水管２３、出湯管２４、および給湯管２５とともに給湯用回路を構成している。入水管２３からの水は、給湯コイル２１を通過する間に貯湯タンク１内の不凍液によって加熱されて出湯管２４を通って出湯され、更に湯水混合器２６によって入水管２３の分岐管２７を通って供給される水と必要に応じて混合されて、給湯管２５を介して給湯カラン等から給湯され、あるいは湯張り管２８などを経て浴槽３４に注湯される。
【００２１】
風呂コイル２２は、風呂往き管３１および風呂戻り管３２とともに風呂追い焚き用回路を構成している。風呂ポンプ３３によって浴槽３４から風呂戻り管３２に流入した湯水は、風呂コイル２２を通過する間に貯湯タンク１内の不凍液によって加熱され、風呂往き管３１を通って浴槽３４に戻る。風呂戻り管３２には、三方弁３５が配設されている。さらに風呂戻り管３２には、風呂ポンプ３３と三方弁３５との間に、水流スイッチ３６と風呂サーミスタ３７とが配設されている。風呂往き管３１と風呂戻り管３２とは、バイパス管３８により互いに接続されている。三方弁３５は、電動機３５ａを備えており、この電動機３５ａにより弁体が駆動されて、風呂戻り管３２の上流側３２ａと下流側３２ｂとを連通させる状態と、風呂戻り管３２の上流側３２ａとバイパス管３８とを連通させる状態とに切り替わる。さらに三方弁３５は、風呂戻り管３２の流路を絞った状態で風呂戻り管３２の上流側３２ａと下流側３２ｂとを連通させることもできる。なお、風呂戻り管３２の上流側３２ａとは、三方弁３５よりも浴槽３４側をいい、風呂戻り管３２の下流側３２ｂとは、三方弁３５よりも風呂コイル２２側をいう。３９は水位スイッチである。
【００２２】
図２および図３は、三方弁３５の切替状態の説明図である。図３は、図２の電動機３５ａ側から見た状態を示している。図２および図３の（Ａ）の状態では、三方弁３５により風呂戻り管３２の上流側３２ａとバイパス管３８とが連通させられている。この状態から電動機３５ａの駆動により弁体が９０度回動すると、図２および図３の（Ｂ）の状態になる。この状態では、風呂戻り管３２の上流側３２ａと下流側３２ｂとバイパス管３８とは、三方弁３５により相互に遮断されている。弁体がさらに９０度回動すると、図２および図３の（Ｃ）の状態になる。この状態では、三方弁３５により風呂戻り管３２の上流側３２ａと下流側３２ｂとが連通させられている。そして、弁体を図２および図３の（Ｃ）の直前の状態で停止させることにより、図２および図３の（Ｄ）のように、風呂戻り管３２の上流側３２ａと下流側３２ｂとが流路を絞った状態で連通することになる。
【００２３】
図４は、給湯装置の制御部の回路ブロック図である。制御部５１は、たとえばワンチップのマイクロコンピュータなどにより実現されており、台所や浴室などに設置された図外のリモートコントローラからの指令や、給湯装置の各種のセンサからの検出信号などに基づいて、給湯装置の動作を制御する。制御部５１は、ＣＰＵ５２、ＲＯＭ５３、ＲＡＭ５４、ＥＥＰＲＯＭ５５、およびインターフェイス回路５６を備えている。インターフェイス回路５６には、風呂ポンプ駆動回路６１、三方弁駆動回路６２、水流スイッチ３６、水位スイッチ３９、および風呂サーミスタ３７などが接続されている。風呂ポンプ駆動回路６１には、風呂ポンプ３３が接続されている。三方弁駆動回路６２には、三方弁３５の電動機３５ａが接続されている。なおインターフェイス回路５６には、上記の他に、給湯装置各部の湯水の温度を検出する多数のサーミスタや、給湯装置各部において湯水の流路を切り替えるための多数の切換弁などをそれぞれ駆動する駆動回路や、各所のリモートコントローラとの通信のための通信回路などが接続されているが、これらは本発明とは直接関係しないので省略する。
【００２４】
次に、風呂自動運転時の動作について、図５のフローチャートを参照しながら説明する。
【００２５】
図５は、風呂自動運転時にＣＰＵ５２によって実行される風呂自動運転処理の手順を説明するフローチャートである。先ずＣＰＵ５２が、浴槽３４への自動注湯が終了したか否かを判断する（Ｓ１）。浴槽３４への自動注湯時には、入水管２３からの水が、給湯コイル２１を通過する間に貯湯タンク１内の不凍液によって加熱されて出湯管２４を通って出湯され、更に湯水混合器２６によって入水管２３の分岐管２７を通って供給される水と混合されて、湯張り管２８、バイパス管３８、および風呂往き管３１を通って浴槽３４に供給される。そして、浴槽３４に所定の水位まで注湯されれば、水位スイッチ３９がオンし、ＣＰＵ５２が浴槽３４への自動注湯を終了させる。
【００２６】
浴槽３４への自動注湯が終了すれば（Ｓ１：ＹＥＳ）、ＣＰＵ５２が、風呂ポンプ駆動回路６１を制御して風呂ポンプ３３を駆動させる（Ｓ２）。このとき、三方弁３５は風呂戻り管３２の上流側３２ａとバイパス管３８とを連通させた状態のままであるので、浴槽３４の湯はバイパス路を循環する。すなわち、浴槽３４から風呂戻り管３２、バイパス管３８、および風呂往き管３１を通って浴槽３４に戻る。この循環により、水流スイッチ３６がオンする。
【００２７】
次にＣＰＵ５２が、水流スイッチ３６がオンしてからたとえば２５秒が経過したか否かを判断する（Ｓ３）。２５秒の計時は、たとえばクロック信号をカウントするカウンタ、あるいは時計回路などを利用して実現される。計時動作の実現方法は、以下のステップについても同様である。
【００２８】
水流スイッチ３６がオンしてから２５秒が経過すれば（Ｓ３：ＹＥＳ）、ＣＰＵ５２が、現在の浴槽３４の湯温が設定温度以上であるか否かを判断する（Ｓ４）。現在の浴槽３４の湯温として、実際には風呂サーミスタ３７の検出温度が用いられる。設定温度は、使用者により予め設定され、ＥＥＰＲＯＭ５５に記憶されている。
【００２９】
現在の浴槽３４の湯温が設定温度以上でなければ（Ｓ４：ＮＯ）、ＣＰＵ５２が、現在の浴槽３４の湯温をＲＡＭ５４に記憶させる（Ｓ５）。
【００３０】
次にＣＰＵ５２が、三方弁駆動回路６２を制御して電動機３５ａをたとえば３．３秒間駆動することにより、三方弁３５を高温循環緩和位置に停止させる（Ｓ６）。高温循環緩和位置とは、風呂戻り管３２の上流側３２ａと下流側３２ｂとを連通させるものの、風呂戻り管３２の流路を絞った状態である。具体的には、風呂戻り管３２の上流側３２ａと下流側３２ｂとを最大流路で連通させる位置で図外のリミッタが作動するので、そのリミッタが作動する直前の位置である。さらに言えば、水流スイッチ３６がオンするかオフするかの境界付近の循環流量である。これにより、浴槽３４の湯は風呂コイル２２を含む循環流路を循環するので、風呂コイル２２を通る間に加熱されるのであるが、循環流量が少ないので、使用者が入浴中であっても、体感湯温が高温過ぎることによる不快感を感じることがない。
【００３１】
次にＣＰＵ５２が、三方弁３５を高温循環緩和位置に停止させてからたとえば６０秒が経過したか否かを判断する（Ｓ７）。すなわち、高温循環緩和動作が６０秒間行なわれたかどうかを調べる。
【００３２】
三方弁３５を高温循環緩和位置に停止させてから６０秒が経過すれば（Ｓ７：ＹＥＳ）、ＣＰＵ５２が、三方弁駆動回路６２を制御して三方弁３５を風呂追い焚き位置に停止させる（Ｓ８）。風呂追い焚き位置とは、風呂戻り管３２の上流側３２ａと下流側３２ｂとを最大流路で連通させる状態である。具体的には、三方弁３５の弁体を図外のリミッタが作動する位置まで移動させる。
【００３３】
次にＣＰＵ５２が、現在の浴槽３４の湯温が設定温度以上であるか否かを判断する（Ｓ９）。
【００３４】
現在の浴槽３４の湯温が設定温度以上であれば（Ｓ９：ＹＥＳ）、ＣＰＵ５２が、ステップＳ５においてＲＡＭ５４に記憶させた高温循環緩和動作前の湯温が、設定温度よりも摂氏１度低い温度以上であるか否かを判断する（Ｓ１０）。
【００３５】
ステップＳ５においてＲＡＭ５４に記憶させた高温循環緩和動作前の湯温が、設定温度よりも摂氏１度低い温度以上でなければ（Ｓ１０：ＮＯ）、ＣＰＵ５２が、風呂ポンプ駆動回路６１を制御して風呂ポンプ３３をたとえば２５秒間強制駆動させる（Ｓ１１）。すなわち、風呂ポンプ３３を停止させずに、駆動状態をそのまま２５秒間継続させる。これにより、浴槽３４の湯が全体にわたって十分に攪拌されるので、この後の風呂サーミスタ３７の検出温度は、浴槽３４の湯温を正確に反映している。
【００３６】
次にＣＰＵ５２が、現在の浴槽３４の湯温が設定温度以上であるか否かを判断する（Ｓ１２）。
【００３７】
現在の浴槽３４の湯温が設定温度以上であれば（Ｓ１２：ＹＥＳ）、ＣＰＵ５２が、風呂ポンプ駆動回路６１を制御して風呂ポンプ３３を停止させ（Ｓ１３）、風呂自動運転処理を終了する。
【００３８】
ステップＳ１２において、現在の浴槽３４の湯温が設定温度以上でなければ（Ｓ１２：ＮＯ）、ステップＳ１２に戻って循環加温を継続する。
【００３９】
ステップＳ１０において、ステップＳ５でＲＡＭ５４に記憶させた高温循環緩和動作前の湯温が、設定温度よりも摂氏１度低い温度以上であれば（Ｓ１０：ＹＥＳ）、ステップＳ１３に進む。すなわち、６０秒程度の高温循環緩和動作によるショートサイクルに起因した浴槽３４の部分的な湯温上昇は摂氏１度程度と考えられるので、この場合は浴槽３４の湯温が確実に設定温度以上になっていることから、追い焚きを終了するのである。
【００４０】
ステップＳ９において、現在の浴槽３４の湯温が設定温度以上でなければ（Ｓ９：ＮＯ）、ステップＳ１２に進む。
【００４１】
ステップＳ７において、三方弁３５を高温循環緩和位置に停止させてから６０秒が経過していなければ（Ｓ７：ＮＯ）、ステップＳ７に戻る。すなわち、６０秒が経過するのを待つ。
【００４２】
ステップＳ４において、現在の浴槽３４の湯温が設定温度以上であれば（Ｓ４：ＹＥＳ）、ステップＳ１３に進む。
【００４３】
ステップＳ３において、水流スイッチ３６がオンしてから２５秒が経過していなければ（Ｓ３：ＮＯ）、ステップＳ３に戻る。すなわち、２５秒が経過するのを待つ。
【００４４】
ステップＳ１において、浴槽３４への自動注湯が終了していなければ（Ｓ１：ＮＯ）、ステップＳ１に戻る。すなわち、自動注湯が終了するのを待つ。
【００４５】
上記のように追い焚きが終了した後、たとえば１５分毎に浴槽３４の湯温が検出され、検出温度が所定温度以下であれば、ステップＳ２以降の処理が実行される。このときの所定温度は、設定温度に応じて決定してもよいし、固定の温度であってもよい。
【００４６】
このように、高温循環緩和動作が終了した時点で、風呂サーミスタ３７による検出温度が設定温度以上であっても、追い焚きを終了させずに、風呂ポンプ３３をたとえば２５秒間強制駆動してから、再度風呂サーミスタ３７による検出温度が設定温度以上であるか否かを判断して追い焚きを終了するので、ショートサイクル現象に起因する浴槽３４の湯温の誤検出を良好に防止できる。したがって、追い焚きに際して、入浴中の使用者に高温による不快感を与えることなく、沸き上がり温度を適切に検出できる。
【００４７】
すなわち、貯湯式給湯装置においては、風呂追い焚き用の風呂コイル２２が貯湯タンク１内にあるため、常時加熱されており、風呂往き管３１や風呂戻り管３２などの風呂追い焚き用の配管内には、高温の湯が存在することから、風呂追い焚きの初期から多量の追い焚き循環を行なうと、この高温の湯が一度に浴槽３４に出てしまうので、浴槽３４内で入浴中の使用者は、熱いと感じる。この問題を解決するために、追い焚き初期においては、三方弁３５を幾分バイパス管３８側に向けて、実質的な追い焚き循環量を少なくすることが行なわれているが、このようにすると、風呂往き側の循環金具から吐出される湯量が少ないことから、浴槽３４内の循環金具付近で高温の湯が停滞してしまい、その高温の湯がすぐに風呂戻り側に吸い込まれて、浴槽３４全体では湯温が沸き上がり温度に達していないにも係わらず、風呂戻り側の風呂サーミスタ３７で沸き上がりの湯温が検出されてしまう。そこで本実施形態のように、高温循環緩和動作により循環湯量を絞った後、循環湯量を通常に戻して所定時間追い焚きを継続することにより、使用者に熱いと感じさせることなく、ショートサイクル現象による沸き上がり温度の誤検出を良好に防止できるのである。
【００４８】
また本実施形態のように、高温循環緩和動作が終了した時点で、風呂サーミスタ３７による検出温度が設定温度以上であり、かつ、高温循環緩和動作の開始時点における風呂サーミスタ３７による検出温度が設定温度よりも摂氏１度低い温度以上であれば、高温循環緩和動作が終了した時点で追い焚きを終了するように構成すれば、ショートサイクル現象に起因する浴槽３４の湯温の誤検出を防止しつつ、風呂ポンプ３３を所定時間強制駆動するプロセスを省略できることから、追い焚き時間を短縮できると同時に、風呂ポンプ３３を駆動するエネルギーを低減できる。
【００４９】
なお、上記実施形態においては、高温循環緩和動作開始時点における風呂サーミスタ３７の検出温度に応じて、高温循環緩和動作終了時点以降におけるプロセスを異ならせたが、必ずしもこのようにする必要はなく、たとえば図５のステップＳ５，Ｓ９，Ｓ１０を実行しないように構成してもよい。
【００５０】
また、上記実施形態においては、液体状の熱媒体として不凍液を用いたが、不凍液の代わりに湯水を用いてもよい。さらには、燃焼室２内の燃焼の燃料として灯油を用いたが、ガスなどの他の燃料を用いてもよい。
【００５１】
また、上記実施形態においては、貯湯式の給湯装置について説明したが、貯湯式以外の給湯装置にももちろん本発明を適用できる。
【００５２】
【発明の効果】
以上説明したように、本発明によれば、追い焚き開始時に循環路を循環させる湯の流量を当該循環路の最大流量よりも小さい流量に設定し、予め設定された所定時間が経過するまで浴槽の湯を循環させた後、循環路を循環させる湯の流量を当該循環路の最大流量に切り換えて浴槽の湯を循環させるので、ショートサイクル現象に起因する湯温の誤判定を防止できることから、追い焚きに際して、入浴中の使用者に高温による不快感を与えることなく、沸き上がり温度を適切に検出できる。
【図面の簡単な説明】
【図１】本発明の一実施形態における追い焚き方法を採用した給湯装置の配管系統図である。
【図２】三方弁の切替状態の説明図である。
【図３】三方弁の切替状態の説明図である。
【図４】給湯装置の制御部の回路ブロック図である。
【図５】風呂自動運転処理の手順を説明するフローチャートである。
【符号の説明】
１  貯湯タンク
２  燃焼室
５  バーナ
７  ノズル
３１  風呂往き管
３２  風呂戻り管
３３  風呂ポンプ
３４  浴槽
３５  三方弁
３６  水流スイッチ
３７  風呂サーミスタ
３８  バイパス管
３９  水位スイッチ
５１  制御部
５２  ＣＰＵ
５３  ＲＯＭ
５４  ＲＡＭ
５５  ＥＥＰＲＯＭ
【図１】
0003855858.tif 000002
【図２】
0003855858.tif 000003
【図３】
0003855858.tif 000004
【図４】
0003855858.tif 000005
【図５】
0003855858.tif 000006